(57)【要約】      （修正有）【課題】  複数個のボスに固定用部材を取付け、その取付けられた固定用部材によってケーシングに表示デバイス、基板等の部材を取付け固定する部材の取付け構造において、前記部材を取付けるべきケーシング部分の姿勢がケーシングを成形する金型の抜き方向に直行する方向と異なっている場合でも、部材を取付け固定するための部材を少なく抑え、組立て作業が簡便であり、しかも、ケーシングの内部への部材の配設の密度を高く確保することができ、グランド極を有する機器においてはグランド極の形状や配設に大きな制約が生じないことを目的とする。【解決手段】ケーシング３に、ケーシング３を成形する金型の抜取る方向に伸長する複数個のボス５，６，７，８を設け、取付け固定すべき部材１８を所定の位置で且つ所定の姿勢で保持し得る固定用部材２３及び２８をそれぞれボス５，６及び７，８にビス止めする構成とした。【選択図】図１
2006261496.tif 000002
【特許請求の範囲】
【請求項１】
ケーシングの部材を取付けるべき部分の近傍で、そのケーシングを成形する金型の抜取る方向に伸長するように設けられた複数個のボスと、取付けられるべき部材がケーシングの所望位置に所望の姿勢で配設された際に、その部材をその位置でその姿勢で保持するように、前記ボスにビス止め、前記ボスへの押圧、前記ボスへの掛止め、若しくは、前記ボスに切込み部を形成しその切込み部への挿入によって複数個のボスに取付けられる固定用部材を備えて構成される部材の取付け構造。
【請求項２】
上記固定用部材が、上記ボスに取付けられた際に、部材の取付け方向に付勢力が作用する弾性材料からなる請求項１に記載の部材の取付け構造。
【請求項３】
上記固定用部材が、金属材料からなり、マイナス電極として作用する構成の請求項１に記載の部材の取付け構造。
【請求項４】
ケーシングの部材を取付けるべき部分の近傍に、そのケーシングに対してその部材を所望位置に所望の姿勢で配設するためのリブ又は／及びリブが設けられてなる請求項１に記載の部材の取付け構造。
【発明の詳細な説明】
【技術分野】
【０００１】
この発明は、例えば表示デバイス、操作デバイス、デバイスのドライバ回路基板、プリント基板等といった機器を構成する部材を、ケーシングの所定の位置に所定の姿勢で取付ける部材の取付け構造に関する。
特に、複数個のボスを設け、そのボスにビス止め、そのボスによる押圧等によって部材を取付け、且つ、部材を取付けるべき面が、成形物のケーシングから成形用金型を抜取る方向、いわゆる金型の抜き方向に対して垂直の姿勢ではない場合の部材の取付け構造に関する。
【０００２】
電気機器・電子機器は通常、外部からの塵埃、水滴、熱、電気、衝撃等から保護するように、ケーシングに覆われている。従って、当該機器の機能の主要部分はケーシングと一体化されるように、取付け固定される。
ここで、操作デバイス、表示デバイス或いはそれらをドライブするための回路基板、プリント基板等の機器を構成する部材は、ケーシングの所定の部位と密接な位置関係を持つことから、ケーシング全体に対して所定の位置に所定の姿勢で取付けられる必要がある。
【０００３】
さて、複数個のボスを設け、そのボスにビス止め、そのボスによる押圧等によって部材を取付け、且つ、部材を取付けるべき面が、ケーシングの金型の抜き方向に対して垂直の姿勢ではない場合の部材の取付け構造として、下記の文献で開示されたものが知られている。
【背景技術】
【０００４】
【特許文献１】特開平０８−３３４９４４号公報
【特許文献２】特開２００１−７６２０号公報
【発明の開示】
【発明が解決しようとする課題】
【０００５】
特開平０８−３３４９４４号公報で開示されているケーシングに部材が取付けられる技術は、上側ケーシングであるカバー１５に表示窓１９が開設され、その表示窓１９から表示素子２２及びＬＥＤ２３が透過して読み取れるように回路基板２０上で位置を対応させ、固定板２５に設けたボス２５ｆのビス挿通孔２５ｅに挿通させたビス２７をカバー１５の側に螺合することによって、４個の突当て突部２５ｄが回路基板２０をカバー１５に押圧して固定し取付ける構成になっている。
【０００６】
尚、当該公報で開示されている技術では、ビス止めは１個所でのみ行われているが、ビス２７のカバー体１５への螺合によって４個の突当て突部２５ｄが回路基板２０を押圧する構成において、４個の突当て突部２５ｄは実質的にボスとして作用していると受取ることができる。
ここで、ボス２５ｆ及び４個の突当て突部２５ｄは、図１より明らかに、固定板２５の金型の抜き方向と同じ方向に伸長して形成されている。
【０００７】
又、特開２００１−７６２０号公報上記公報で開示された発明は、図２に示されているように、ケーシングに該当するキャビネット９に固定用ボス１１を設け、アンテナ８のビス通孔１３に挿通させたビス１８を固定用ボス１１に螺合させることによって回路基板１２をキャビネット９の内部に取付け固定させる技術が開示させている。
【０００８】
尚、同公報の図２において右側部分は省略されているが、回路基板１２はその省略された右側部分においてボスにビス止め、ボスによる押圧等によって固定されることで、回路基板１２はキャビネット９に取付け固定されていると受取れる。
ここで、固定用ボス１１は同図から明らかに、キャビネット９の金型の抜き方向と同じ方向に伸長している。
【０００９】
他方、電気機器・電子機器等では、表示デバイスや操作デバイスは、使用したり操作したりする者にとってより高い使い勝手を得るように、その配設の位置と姿勢に工夫が為されている。
つまり、箱形状のケーシングにおいて前面と天面の間に操作者の視界方向となる斜面を設け、或いは、ケーシングに操作者の視界方向となる面を持つ曲面形状にケーシングを形成し、その操作者の視界方向となる面に表示デバイスや操作デバイスを配設して取付け固定することが行われている。
【００１０】
又、今日では、外観上の美的価値を高めるために、多くの曲面部分や斜面部分を備えたケーシングが使用されている。斯かる形状のケーシングは、部材をケーシングの曲面部分や斜面部分に配設して取付け固定することになる。
【００１１】
さて、部材をケーシングの曲面部部や斜面部分に複数個のボスに対してビス止め等によって取付け固定するには、特開平０８−３３４９４４号公報及び特開２００１−７６２０号公報から明らかなように、ボスはケーシングの金型の抜きの方向に伸長していること、つまり、ボスが部材を取付けるべき面に対して垂直の方向に伸長していることが必要である。
他方、特開平０８−３３４９４４号公報及び特開２００１−７６２０号公報で示された部材のケーシングへの取付け構造では、取付けるべき部材がケーシングの曲面部分や斜面部分に取付け固定されていない。
【００１２】
従って、取付けるべき部材がケーシングの曲面部分や斜面部分であって、ボスが部材を取付けるべき面に対して垂直の方向に伸長していない面に取付ける場合には、特開平０８−３３４９４４号公報及び特開２００１−７６２０号公報で開示された技術を適用することはできない。
【００１３】
このことに対して、ボスの伸長方向に対して垂直ではない曲面部分や斜面部分に部材を取付ける場合には、部材を取付ける面部分の近傍に金型の抜きの方向に伸長する複数個のボスを形成し、且つ、取付けるべき部材を前記曲面部分や前記斜面部分と同じ姿勢で保持する保持部材に保持させ、その保持部材を前記複数個のボスに対してビス止めすることで取付け固定する方法が考えられる。
【００１４】
ここで、複数個のボスは金型の抜きの方向に伸長して形成され、且つ、取付けるべき部材の姿勢は保持部材によって所望の姿勢を得て保持されているいることにより、部材をケーシングに取付け固定するということについては何ら問題はない。
【００１５】
しかしながら、上述した構成の部材のケーシングへの取付け構造では、ケーシングと取付けるべき部材の間に保持部材を介在させているので、部材が多くなり、又、組立てにおいて作業工程が増えて煩雑になるという問題が生じる。
殊に、取付けるべき部材を所望の姿勢で保持するには、保持部材が高い寸法精度で作られる必要があるという問題が生じる。
又、装置において電気的な機能上でグランド極を配設する場合には、そのグランド極が上記保持部材によってその形状や配設すべき位置に大きく制約を受けるという問題も生じる。
【００１６】
他方、今日、電気機器、電子機器等のケーシングには、外観上の美的価値を高めるために、曲面部分や斜面部分を備えた形状が望まれている。
ケーシングが曲面部分や斜面部分を有して形成されることは、何ら問題は生じない。しかしながら、曲面部分や斜面部分を備えケーシングでは、外観に比してケーシングの内部の容積が小さくなるので、ケーシングの内部に配設すべき部材を密度を高くして配設したり、可能な限り不要な不要な部材を除く必要がある。
殊に、多機能を有して装置全体に軽薄短小化が求められる場合には、上記の問題はより一層深刻になる。
【００１７】
この発明は上記の事情に鑑みてなされたものであり、ケーシングに表示デバイス、操作デバイス、デバイスのドライバ回路基板、プリント基板等の部材を取付け固定し、その取付け固定が部材を取付けるべきケーシング部分の近傍に複数個のボスを設け、そのボスにビス止め、そのボスによる押圧等によって行い、且つ、前記部材を取付けるべきケーシング部分の姿勢がボスの伸長方向に直角つまりケーシングを成形する金型の抜き方向に直行する方向と異なっている場合であっても、部材を取付け固定するための部材を少なく抑えることが可能で、組立て作業が簡便であり、ケーシングの内部への部材の配設の密度を高く確保することができ、グランド極を有する機器においてはグランド極の形状や配設に大きな制約が生じない部材の取付け構造を提供することを目的とする。
【課題を解決するための手段】
【００１８】
この発明は、ケーシングに対して取付けるべき部材を所望の位置に所望の姿勢で保持する固定用部材を、ケーシングの金型の抜き方向に伸長する複数個のボスに取付けられる構成とした部材の取付け構造である。
【００１９】
その詳細な構成は、ケーシングの部材を取付けるべき部分の近傍で、そのケーシングを成形する金型の抜取る方向に伸長するように設けられた複数個のボスと、取付けられるべき部材がケーシングの所望位置に所望の姿勢で配設された際に、その部材をその位置でその姿勢で保持するように、前記ボスにビス止め、前記ボスへの押圧、前記ボスへの掛止め、若しくは、前記ボスに切込み部を形成しその切込み部への挿入によって複数個のボスに取付けられる固定用部材を備えて構成される部材の取付け構造である。
【００２０】
ここで、固定用部材は、ボスに取付けられた際に、部材の取付け方向に付勢力が作用する弾性材料からなるものが挙げられる。
更に、固定用部材は具体的に、ボスにビス止めされて複数個のボスに取付けられる構成では、金属製の板部材、合成樹脂又はゴムの板部材、或いは合成樹脂又はゴムのブロック体が挙げられる。
ケーシングに取付けるべき部材の近傍にマイナス電極、所謂グランドを配設する必要がある場合に金属製の板部材の固定用部材を用いると、その固定用部材はグランドとしても機能することになり、グランドを新たに配設する場合に比してスペース上で余裕が生じ、又、組立て作業も簡便になる。
【００２１】
他方、合成樹脂又はゴムの板部材の固定用部材を使用すると、その取付け位置の近傍において当該固定用部材は絶縁材として機能させることが可能である。
更に、合成樹脂又はゴムのブロック体の固定用部材を使用すると、その取付け位置の近傍において当該固定用部材は絶縁材としての機能及び部材間の緩衝材としての機能を持たせることが可能になる。
【００２２】
固定用部材がボスに押圧されて複数個のボスに取付けられる具体的な構成では、金属製の板部材、合成樹脂又はゴムの板部材、或いはゴムのブロック体が挙げられる。
ここで、ボスへの押圧の力はボスの伸長方向と逆向きの力であり、具体的には、当該ケーシングを対向側のケーシングと一体化している際にその対向側のケーシングからの押圧力が挙げられる。
尚、斯かる構成では、固定用部材が押圧されるボスの先端に、固定用部材と押圧するボスの係合すべき位置を決めるための位置決め用凹部、溝部、段差部等が形成されていることが望ましい。
【００２３】
固定用部材は、ボスへの掛止めによって複数個のボスに取付けられる構成では、具体的に金属製の線部材、ゴム材料からなるひも状の部材等が挙げられる。
ここで、固定用部材が金属製の線部材、ゴム材料からなるひも状の部材等からなり、複数のボスに掛止めして部材をケーシングに固定する構成に対しては、固定用部材とボスとの掛止め状態を保持するために掛止め用のクビレ部を備えた構成であってもよい。
【００２４】
固定用部材は具体的に、複数のボスの先端側に切込み部を形成しその切込み部への挿入によって複数個のボスに取付けられる構成では、金属製の板部材、合成樹脂の板部材が挙げられる。
ここで、ボスに形成する切込みは、その方向、形状及び大きさは、ボス及び固定用部材の大きさ、形状、他の部材の配設状態等に基づき、適宜選択するのがよい。
【００２５】
又、ケーシングに取付けるべき部材の近傍にマイナス電極、所謂グランドを配設する必要がある場合に金属製の板部材の固定用部材を用いると、その固定用部材をグランドとして機能させることができる。
他方、合成樹脂の板部材の固定用部材を使用すると、その取付け位置の近傍において当該固定用部材は絶縁材として機能させることが可能になる。
【００２６】
更に、ケーシングの部材を取付けるべき部分の近傍に、そのケーシングに対してその部材を所望位置に所望の姿勢で配設するためのリブ又は／及びリブが設けられて構成される部材の取付け構造が挙げられる。
【発明の効果】
【００２７】
この発明は、ケーシングの部材を取付け固定する対象の位置の近傍に、そのケーシングを成形する金型の抜取りの方向に伸長する複数個のボスを備え、その複数個のボスの二つ以上に固定用部材が取付けられることによってその固定用部材が、部材をケーシングの所望位置に所望の姿勢で取付ける構成としたことにより、前記部材を取付けるべきケーシング部分の姿勢がボスの伸長方向に直角でない場合であっても、部材を取付け固定するための部材を少なく抑え、装置全体の組立て作業が簡便になり、ケーシングの内部への部材の配設の密度を高く確保することができ、グランド極を有する機器においてはグランド極の形状や配設に大きな制約のない部材の取付け構造である。
【発明を実施するための最良の形態】
【００２８】
この発明を、図１〜図？に示す実施の形態例に基づき詳述する。しかし、この実施の形態例によって、この発明が限定されるものではない。
【００２９】
部材の取付け構造１は、図１に示すように、録音・再生装置２の上側のケーシング３の内側面４に、ボス５，６，７，８，９，１０、リブ１１，１２、及び窓部１３が形成されている。
ケーシング３はＡＢＳ合成樹脂から成型加工されてなるものであり、ボス５，６，７，８，９，１０、リブ１１，１２、窓部１３、及び他の成形部分も、ケーシング３を成型加工するための金型（図示省略）の抜取りの方向（矢印Ａ方向）に伸長して形成されている。
尚、ケーシング３の材料は、他に、例えばポリカーボネート合成樹脂等が挙げられる。
【００３０】
又、ボス５，６，７，８にはそれぞれ、各ボスの伸長方向つまりケーシング３を成型加工するための金型の抜取りの方向に伸びるメネジ部１４，１５，１６，１７が形成されている。
リブ１１，１２は、取付けるべき部材である基板１８の姿勢をケーシング３に対して所定通りの姿勢となるようにするためのものである。
【００３１】
尚、リブ１１，１２の基板１８を所定姿勢を取らせる当接面は、ボス５，６，７，８，９，１０等の伸長する方向、つまり、ケーシング３を成型加工するための前記金型の抜取りの方向（矢印Ａ方向）に対して直行はしていない。
又、窓部１３を区画形成しているケーシング３の面も、ケーシング３を成型加工するための前記金型の抜取りの方向（矢印Ａ方向）に対して直行はしていない。
【００３２】
ボス９は、基板１８に付設した突片１９の切欠き２０を嵌合させ、ボス１０は、基板１８に付設した突片２１の切欠き２２を嵌合させて、リブ１１，１２に載置させた際の基板１８を所定の位置に位置決めするためのものである。
【００３３】
固定用部材２３は、弾性と導電性のある金属材料であるリン青銅材料から形成され、ビス２４，２５がそれぞれ挿通する通孔２６，２７が開設されている。
同様に、固定用部材２８は、弾性と導電性のある金属材料であるリン青銅材料から形成され、ビス２９，３０が挿通する通孔３１，３２が開設されている。
尚、固定用部材２３，２８は、リン青銅材料の他に、ステンレス鋼、鋼に防錆メッキを施したもの等が挙げられる。
【００３４】
固定用部材２３は、ビス２１，２２をそれぞれ通孔２６，２７に挿通させ、更に、メネジ部１４，１５に螺合してケーシング３に取付けた場合、板部３３がケーシング３の側への方向（矢印Ｂ方向）に押圧力を作用するものである。
同様に、固定用部材２８は、ビス２９，３０をそれぞれ通孔３１，３２に挿通させ、更に、メネジ部１６，１７に螺合してケーシング３に取付けた場合、板部３４がケーシング３の側への方向（矢印Ｂ方向）に押圧力を作用するものである。
【００３５】
つまり、固定用部材２３の板部３３及び固定用部材２８の板部３４は、実質的に、押圧部として機能している。
尚、板部３３，３４の押圧力は、固定用部材２３，２８の取付け状態、材料、形状、厚さ等を適宜選択・設定することによって、所望の値に設定するのが望ましい。
【００３６】
尚、窓部１３には、色付き半透明のウィンドウ部材３５が嵌め込みされた後に、接着固定されるようになっている。
又、基板１８の裏面側に、つまり、ケーシング３の内側面４と対向する側に、ＬＣＤ表示手段３６及びそれを駆動するための回路の構成部品（図示省略）が取付けられている。
【００３７】
録音・再生装置２における部材の取付け構造１は、上述したように構成されている。以下において、部材の取付け構造１の組立て及び機能について説明する。
窓部１３に、ウィンドウ部材３５を所定状態に嵌め込み、続いて、ウィンドウ部材３５をケーシング３に接着固定する。
次に、ＬＣＤ表示手段３６及びそれを駆動するための回路の構成部品が取付けられた基板１８の切欠き２０，２２をそれぞれボス９，１０に勘合するようにして、基板１８をリブ１１，１２に載置する。
【００３８】
ここで、基板１８は、リブ１１，１２によってケーシング３に対して所定の位置を取ることになり、つまり、基盤１８に取付けられているＬＣＤ表示手段３６の発光面（図示省略）が窓部１３に対してほぼ平行な姿勢を取ることになる。
又、この時、基板１８は、切欠き２０，２２がそれぞれボス９，１０に嵌合されていることによって、リブ１１，１２の上で位置決めされている。
【００３９】
固定用部材２３を、基板１８を押え付けるようにして載置し、ビス２４を通孔２６に挿通し、更に、リブ５のメネジ部１４に螺合する。固定用部材２３について同様にして、基板１８を押え付けた状態で、ビス２５を通孔２７に挿通し、更に、ボス６のメネジ部１５に螺合する。
同様に、ビス２９を固定用部材２８の通孔３１に挿通して、ボス７のメネジ部１６に螺合し、続いて、ビス３０を固定用部材２８の通孔３２に挿通し、更に、ボス８のメネジ部１７に螺合する。
【００４０】
ここで、固定用部材２３は、ビス止めによってボス５，６の側、つまり、ケーシング３の側に取付け固定される。この時、固定用部材２３の板部３３は、弾性によって基板１８をリブ１１の方向に押圧しているので、基板１８は上記の位置で且つ上記の姿勢でその状態を保持されることになる。
同様に、固定用部材２８は、ビス止めによってボス７，８の側、つまり、ケーシング３の側に取付け固定される。この時、固定用部材２８の板部３４は、弾性によって基板１８をリブ１２の方向に押圧しているので、基板１８は上記の位置で且つ上記の姿勢でその状態を保持されることになる。
【００４１】
従って、基板１８は、固定用部材２３，２８からの弾性による押圧力によって、リブ１１，１２の上で上記の位置で且つ上記の姿勢であることが保持されることになる。
又、録音・再生装置２の組立てを行う者は、固定用部材２３，２８をマイナス極つまり所謂グランドとして使用する場合には、固定用部材２３，２８とボス５，６，７，８の間に導線を介在することによって、グランドを得ることが可能になる。
斯かる構成の部材の取付け構造１では、グランドを別個に新たに配設する場合に比してスペース上で余裕が生じ、又、組立て作業も簡便になっている。
【００４２】
部材の取付け構造１は、ボス５〜１０、リブ１１，１２等はその伸長する方向を、ケーシング３の金型の抜きの方向と同じにして形成することが可能になっていて、且つ、窓部１３及び窓部１３に対向して配設される基板１８の姿勢がその金型の抜きの方向と直行する方向とは異なっている。
つまり、ケーシング３の形状を自由に設定することが可能になっている。
【００４３】
他方、部材の取付け構造１は、上述したように、基板１８を所望の姿勢にするためにスペーサを介在させるといったことを行わないから、スペーサを介在させることに比して部材が少なくて済み、又、組立ても簡便になっている。更に、スペーサがない分だけ、ケーシング３の内側容積を十分に活用することが可能になっている。
殊に、グランドを配設する場合においては、基板１８とケーシング３の間スペーサを介在させる場合に比して、組立て時の作業の簡便性はより一層高いものになっている。
【００４４】
部材の取付け構造１では、直線状の二つのリブ１１，１２が対向の状態で配設されているが、位置決めすべき部材の形状と大きさ、他の配設すべき部材の形状と大きさ、ケーシング３の形状等によって、くの字形状、コの字形状、円形状、円弧形状等、適宜設定するのが望ましい。
又、位置決め用のボス９，１０はそれぞれリブ１１，１２のほぼ中央に配設されているが、取付ける部材の切欠けの位置等に合わせて、適宜設定するのが望ましい。
【００４５】
以下において、図３に基づき、この発明の第２の実施の形態例の部材の取付け構造１ａを説明する。
部材の取付け構造１ａでは、ゴム材料からなるブロック形状の固定用部材２３ａが採用されている。
ケーシング３ａの形状は同じであっても、ケーシング３ａに取付けるべき部材１８ａの厚さが異なっていることに対して、ケーシング３ａに汎用性を持たせたい場合がある。
斯かる場合には、部材１８ａの厚さが最も大きいものに対応させてボス５ａ，６ａ，７ａ，８ａのケーシング３ａからの伸長する寸法を合わせて、ボス５ａ，６ａ，７ａ，８ａを形成する。
【００４６】
勿論、ケーシング３ａは、ケーシング３と同様に、ボス５ａ，６ａ，７ａ，８ａ、窓部１３ａ等は、ケーシング３ａを成形加工するための金型の抜取りの方向、つまり矢印Ａａ方向に伸長されている。
【００４７】
そして、取付けるべき部材１８ａの厚さが小さい場合には、ボス５ａ，６ａ，７ａ，８ａからの伸長し過ぎている寸法を埋めるように、ゴム材料からなるブロック形状の固定部材２３ａのブロック部が部材１８ａをケーシング３ａの側に、つまり矢印Ｂａ方向に押圧し、部材１８ａをその位置で且つその姿勢で保持する。
【００４８】
斯かる構成の部材の取付け構造１ａでは、固定用部材２３ａはゴム材料から形成されていることにより、他の部品に対して介在用絶縁体として機能させることが可能になっている。
又、固定用部材２３ａを介在用絶縁体として作用させる構成として、固定用部材２３ａを合成樹脂から形成されてなるものが挙げられる。
更に、スペース的に余裕がない場合では、固定用部材２３ａを弾性に富む合成樹脂から形成することによって、対応することができる。
【００４９】
更に、斯かる構成の部材の取付け構造１ａでは、つまり、固定用部材２３ａをゴム材料又は合成樹脂材料から形成することによって、絶縁機能に加えて、部材間の緩衝材としての機能を持たせることが可能になっている。
又、固定用部材２３ａにより高い緩衝材としての機能を持たせるために、波板形状に形成したものが挙げられる。
【００５０】
以下において、図４に基づき、この発明の第３の実施の形態例の部材の取付け構造１ｂを説明する。
部材の取付け構造１ｂでは、固定用部材２３ｂは、ケーシング３ｂと一体化する下側のケーシング３７ｂから一体化する際の押圧力を受けてボス５ｂ，６ｂに押圧されてボス５ｂ，６ｂに取付けられる構成である。
ボス５ｂ，６ｂは先端部に円柱状の突部３８ｂ，３９ｂが形成され、且つ、固定用部材２３ｂのボス５ｂ，６ｂとの係合部分に突部３８ｂ，３９ｂが挿通する通孔２６ｂ，２７ｂが形成されている。
【００５１】
更に、ケーシング３７ｂには、ケーシング３ｂとケーシング３７ｂを一体化させた際にボス５ｂ，６ｂに対向する位置に突部３８ｂ，３９ｂがそれぞれ嵌合する凹部４０ｂ，４１ｂが形成されている。  
従って、部材の取付け構造１ｂでは、突部３８ｂ，３９ｂにそれぞれ固定用部材２３ｂの通孔２６ｂ，２７ｂを挿通させてからケーシング３ｂとケーシング３７ｂを一体化させると、突部３８ｂ，３９ｂがそれぞれ凹部４０ｂ，４１ｂが嵌合して、固定用部材２３ｂはケーシング３ｂとケーシング３７ｂからの挟持の押圧力によってボス５ｂ，６ｂに取付けられている。
【００５２】
尚、ケーシング３ｂとケーシング３７ｂは、図４に示すように、ビス２４ｂ，２５ｂのケーシング３ｂ側への螺合によって一体化の状態が保持されている。
従って、固定用部材２３ｂがボス５ｂ，６ｂに取付けの状態が保持されるから、固定用部材２３ｂは、斯かる状態で位置決め及び姿勢決めのされている基盤１８ｂを押圧する。
よって、基板１８ｂは、固定用部材２３ｂからの押圧力によってその状態が保持されることになる。
【００５３】
ここで、部材の取付け構造１ｂでは、部材の取付け構造１と同様の効果を得ることができる。  
又、ボス５ｂ，６ｂの先端部を半球形状に形成し、且つ、固定用部材２３ｂのボス５ｂ，６ｂとの係合部分を前記半球形状を嵌合する凹部に形成し、ボス５ｂ，６ｂの半球形状の先端部を固定用部材２３ｂに形成した前記凹部に嵌合させ、その状態で下側のケーシング３７ｂからの押圧力を受けて、固定用部材２３ｂが取り付け固定される構成であってもよい。この場合も、部材の取付け構造１と同様の効果を得ることができる。
【００５４】
尚、部材の取付け構造１ｂでは、固定用部材２３ｂとボス５ｂ，６ｂの係合すべき位置を決めるために、ボス５ｂ，６ｂの先端部を半球形状に形成し且つ固定用部材２３ｂに凹部を形成しているが、その他に、ボス５ｂ，６ｂの先端部に凹部を形成し且つ固定用部材２３ｂの対応部分に突部を形成する構成、ボス５ｂ，６ｂに溝部若しくは切込みを形成し且つその溝部若しくは切込みに固定用部材を挟み込む構成、ボス５ｂ，６ｂに段差部を形成し且つ固定用部材にその段差部に対応する段差部を形成する構成が挙げられる。
【００５５】
更に、部材の取付け構造において、固定用部材の複数個のボスへの取付けとして、金属製の線部材、ゴム材料からなるひも状の部材等の固定用部材がボスの先端部に掛止めされて取付けられる構成が挙げられる。
斯かる構成では、固定用部材である金属製の線部材、ゴム材料からなるひも状の部材等がボスの先端部に掛止めされて取付けられることによって、ケーシングに対して所定の位置で且つ所定の姿勢を取っている部材をその状態に保持することになる。
【００５６】
尚、複数のボスに掛止めすることによって、部材をケーシングに固定する構成については、固定用部材とボスとの掛止め状態を保持するために、ボスに掛止め用のクビレ部、切込み部等を備えた構成であってもよい。
又、斯かる構成の部材の取付け構造では、上で詳述した部材の取付け構造１と同様の効果が得られている。
【００５７】
加えて、部材の取付け構造において、固定用部材は具体的に、複数のボスの先端部の近傍に切込み部、凹部等を形成し、固定用部材の端部をその切込み部、凹部等に嵌込みすることによって、複数個のボスに固定用部材を取付ける構成が考えられる。
そして、複数個のボスに取付けられた固定用部材によって、ケーシングに対して所定の位置で且つ所定の姿勢を取っている部材をその状態に保持するが可能になる。
【００５８】
斯かる構成の部材の取付け構造では、固定用部材として具体的に、金属製の板部材、合成樹脂の板部材が挙げられる。
尚、複数個のボスに形成する切込み、凹部等の方向、形状及び大きさは、ボス及び固定用部材の大きさ、形状、他の部材の配設状態等に基づき、適宜選択するのがよい。
【００５９】
具体的には、複数個のボスにおいて、互いに対向する部分に切込み、凹部等を形成し、取付けるべき部材をケーシングに対して所定の位置で且つ所定の姿勢を保持しながら、固定用部材を前記切込み、凹部等に嵌込み、このことによって前記取付ける部材をケーシングに保持するということが挙げられる。
又、斯かる構成の部材の取付け構造においても、上で詳述した部材の取付け構造１と同様の効果が得られている。
【図面の簡単な説明】
【００６０】
【図１】この発明の最良の実施の一形態例の構成を要部分解斜視図である。
【図２】図１に示す実施の形態例において、要部の構成を説明する要部断面図である。
【図３】この発明の第２の実施の形態例の図２相当図である。
【図４】この発明の第３の実施の形態例の図２相当図である。
【符号の説明】
【００６１】
１            ：部材の取り付け構造
３，３７ｂ    ：ケーシング
４            ：ケーシングの内側面
５，６，７，８，９，１０    ：ボス
１１，１２                  ：リブ
１３                        ：窓部
１８                        ：部材
２３，２８                  ：固定用部材
３３                        ：固定用部材２３の板部（押圧部）
３４                        ：固定用部材２８の板部（押圧部）
【図１】
2006261496.tif 000003
【図２】
2006261496.tif 000004
【図３】
2006261496.tif 000005
【図４】
2006261496.tif 000006